(57)【要約】      （修正有）【課題】熟練していない者であっても、短時間で確実に、転造ダイス間のピッチを合わせること。【解決手段】ねじ転造装置は、転造ブランク１を保持する保持部と、転造ブランク１に当接されてねじ山を転造する複数の転造ダイスと、各転造ダイスを保持して固定する装着軸と、各装着軸に連結されて該装着軸を回転させる回転駆動部５０とを有するねじ転造盤を備えている。ねじ転造装置は、転造ダイスによって転造ブランク１に転造されたねじ山を撮影する撮影部７１と、撮影部７１によって撮影されたねじ山を拡大して表示する表示部７２と、一の転造ダイスによって転造されたねじ山と、他の転造ダイスによって転造されたねじ山との間のずれを測定する測定部７６も備えている。【選択図】図６
2010279966.tif 000002
【特許請求の範囲】
【請求項１】
転造ブランクを保持する保持部と、該転造ブランクに当接されてねじ山を転造する複数の転造ダイスと、各転造ダイスを保持して固定する装着軸と、各装着軸に連結されて該装着軸を回転させる回転駆動部とを有するねじ転造盤と、
前記転造ダイスによって転造ブランクに転造されたねじ山を撮影する撮影部と、
前記撮影部によって撮影されたねじ山を拡大して表示する表示部と、
一の転造ダイスによって転造されたねじ山と、他の転造ダイスによって転造されたねじ山との間のずれを測定する測定部と、
を備えたことを特徴とするねじ転造装置。
【請求項２】
前記測定部による測定結果に基づいて、一の転造ダイスに対する他の転造ダイスの回転角度のずれを算出する算出部をさらに備えたことを特徴とする請求項１に記載のねじ転造装置。
【請求項３】
前記測定部は、前記表示部に表示された水平方向に延在する２本の電子ラインの間の距離と、垂直方向に延在する２本の電子ラインの間の距離とを測定することができるように構成されていることを特徴とする請求項１または２のいずれかに記載のねじ転造装置。
【発明の詳細な説明】
【技術分野】
【０００１】
本発明は、転造ダイスによって転造ブランクに転造を行うねじ転造装置に関する。
【背景技術】
【０００２】
複数の転造ダイスの間に、転造ブランクを挟み、各転造ダイスを救心移動させたり、一つの転造ダイスを固定して基準として別の転造ダイスを相対的に移動させたりすることによって、転造ブランクに塑性加工を施すねじ転造盤が一般的に広く知られている。このような従来のねじ転造盤では、転造ダイスとして一般に丸形ダイスが用いられる。そして、ねじ転造盤は、二個の丸形ダイスや、三個の丸形ダイスを備えていることが一般的である。この種のねじ転造盤では、丸形ダイスを同方向に同回転数で回転させる。
【０００３】
二個の丸形ダイスを備えているねじ転造盤は、丸形ダイスを回転させる回転駆動部と、固定位置にある基準となる丸形ダイスに、他方の丸形ダイスを近接または離隔させる直動駆動部とを備えている。回転駆動部の装着軸は、主伝導軸と従伝導軸とを有し、これら主伝導軸と従伝導軸の間には、従伝導軸を主伝導軸に固定自在な接手が設けられている。転造作業におけるピッチ合わせは、この接手によって、主伝導軸と従伝導軸の回転角を調整することによって行われる。また、直動駆動部は、直動する油圧または空圧シリンダー、または、回転運動を直線運動に変えるカム機構を有している。
【０００４】
また、三個の丸形ダイスを備えているねじ転造盤は、丸形ダイスを回転させる回転駆動部と、丸形ダイスを転造ブランクに救心または離隔させる絞り込み駆動部とを備えている。回転駆動部の装着軸は、やはり主伝導軸と従伝導軸とを有し、これら主伝導軸と従伝導軸の間には、両者の回転角を調整するための接手が設けられている。転造作業におけるピッチ合わせは、この接手によって、主伝導軸に対する従伝導軸の回転角を調整することによって行われる。
【０００５】
ピッチ合わせを行う方法について、三個の丸形ダイスを備えたねじ転造盤を用いて説明する。まず、丸形ダイスに転造ブランクが軽く押しつけられるよう、ねじ転造盤に転造ブランクがセットされる。次に、手動によって丸形ダイスをゆっくり回転させ、転造ブランクを１／３回転だけ回転させた後、逆転させて、転造ブランクを取り出す。
【０００６】
このねじ山の条痕を目視によって検査し、基準となる丸形ダイスの条痕と、隣接する丸形ダイスの条痕とが合致していない場合には、接手を用いて、基準となる丸形ダイスまたは隣接する丸形ダイスのいずれかの従伝導軸を、主伝導軸に対して回転させて位置合わせを行う。すなわち、丸形ダイスの回転駆動部の装着軸は、主伝導軸と従伝導軸とを有しており、従伝導軸は主伝導軸に対して固定自在となっている。このため、接手による従伝導軸の主伝導軸に対する固定をゆるめて、従伝導軸を若干回転させた後、従伝導軸を主伝導軸に固定させる。
【０００７】
その後、新しい転造ブランクをねじ転造盤にセットし、上述と同様の手段を用いて、転造ブランクの表面に丸形ダイスのねじ山の条痕をつける。基準となる丸形ダイスの条痕と、隣接する丸形ダイスの条痕とが合致するまで、このような作業（ピッチ合わせ作業）を繰り返して行う。なお、二個の丸形ダイスを備えたねじ転造盤も同様の方法によって、ピッチ合わせが行われる。
【発明の概要】
【発明が解決しようとする課題】
【０００８】
このような従来のねじ転造盤においては、丸形ダイスなどの転造ダイスのピッチ合わせは容易ではなく、転造ダイスのピッチを合わせるには、上述したようなピッチ合わせ作業を何度も繰り返す必要がある（多いときには１０回以上繰り返す必要がある）。なお、このような工程において、転造ブランクに付けたねじ山の条痕のずれを測る手段は目視で行っているため、個人の技量の差に影響されることとなり、熟練していない者では非常に時間のかかる作業となっている。そして、このような転造ダイスのピッチ合わせは、転造ダイスを交換する度に行う必要あるため、作業時間が増大し、無駄なコストがかかってしまっている。
【０００９】
本発明は、このような点を考慮してなされたものであり、熟練していない者であっても、短時間で確実に転造ダイス間のピッチを合わせることができるねじ転造盤を提供することを目的とする。
【課題を解決するための手段】
【００１０】
本発明によるねじ転造装置は、
転造ブランクを保持する保持部と、該転造ブランクに当接されてねじ山を転造する複数の転造ダイスと、各転造ダイスを保持して固定する装着軸と、各装着軸に連結されて該装着軸を回転させる回転駆動部とを有するねじ転造盤と、
前記転造ダイスによって転造ブランクに転造されたねじ山を撮影する撮影部と、
前記撮影部によって撮影されたねじ山を拡大して表示する表示部と、
一の転造ダイスによって転造されたねじ山と、他の転造ダイスによって転造されたねじ山との間のずれを測定する測定部と、
を備えている。
【００１１】
本発明によるねじ転造装置は、
前記測定部による測定結果に基づいて、一の転造ダイスに対する他の転造ダイスの回転角度のずれを算出する算出部をさらに備えてもよい。
【００１２】
本発明によるねじ転造装置において、
前記測定部は、前記表示部に表示された水平方向に延在する２本の電子ラインの間の距離と、垂直方向に延在する２本の電子ラインの間の距離とを測定することができるように構成されてもよい。
【発明の効果】
【００１３】
本発明によれば、転造ダイスによって転造ブランクに転造されたねじ山を撮影し、撮影されたねじ山を拡大して表示し、一の転造ダイスによって転造されたねじ山と、他の転造ダイスによって転造されたねじ山との間のずれを測定する。このため、熟練していない者であっても、短時間で確実に転造ダイス間のピッチを合わせることができる。
【図面の簡単な説明】
【００１４】
【図１】本発明の第１の実施の形態による離隔位置にある転造ダイスを示す正面図。
【図２】本発明の第１の実施の形態による当接位置にある転造ダイスを示す正面図。
【図３】本発明の第１の実施の形態による転造ダイスの縦断面を示す縦断面図。
【図４】本発明の第１の実施の形態による転造ダイスの移動態様を示す概略図。
【図５】本発明の第１の実施の形態による転造ダイスによって転造された転造ブランク１の縦断面を示す縦断面図。
【図６】本発明の第１の実施の形態によるねじ転造装置の構成の一部を示す概略図。
【図７】本発明の第１の実施の形態において、表示部によって表示されたブロックゲージを用いて寸法決定する態様を説明するための図。
【図８】本発明の第１の実施の形態において、表示部によって表示されたねじ山の条痕のずれを測定する態様を説明するための図。
【図９】本発明の第２の実施の形態による転造ダイスの移動態様を示す概略図。
【図１０】本発明の第２の実施の形態による当接位置にある転造ダイスの縦断面を示す縦断面図。
【発明を実施するための形態】
【００１５】
第１の実施の形態
以下、本発明に係るねじ転造盤の第１の実施の形態について、図面を参照して説明する。ここで、図１乃至図８は本発明の第１の実施の形態を示す図である。
【００１６】
図１に示すように、ねじ転造装置は、中心部に設けられ、転造ブランク１を保持する保持部１６と、転造ブランク１に当接されてねじ山を転造する三個の丸形ダイス（転造ダイス）２０ａ，２０ｂ，２０ｃと、各丸形ダイス２０ａ，２０ｂ，２０ｃを保持して固定する装着軸４ａ，４ｂ，４ｃと、各装着軸４ａ，４ｂ，４ｃに回転駆動軸５１（図２参照）を介して連結され、当該装着軸４ａ，４ｂ，４ｃを回転させることによって丸形ダイス２０ａ，２０ｂ，２０ｃを回転開始位置に位置づける回転駆動部５０（図２参照）と、を有するねじ転造盤を備えている。なお、本実施の形態では、転造ダイスとして丸形ダイス２０ａ，２０ｂ，２０ｃを用いて説明するが、これに限られることはない。
【００１７】
また、図６に示すように、ねじ転造装置は、丸形ダイス２０ａ，２０ｂ，２０ｃによって転造ブランク１に転造されたねじ山の条痕Ｇ（図８参照）を拡大して撮影する撮影部７１と、撮影部７１によって撮影されたねじ山を５０倍〜１００倍（本実施の形態では９０倍）に拡大して表示する表示部７２も備えている。また、撮影部７１近傍には、転造ブランク１に転造されたねじ山の条痕Ｇに光を照射するファイバ照明部（照明部）７３が設けられている。なお、撮影部７１としては、撮影した映像の光の濃淡を電気信号に変換するＣＣＤカメラなどを用いることができる。
【００１８】
また、図６に示すように、ねじ転造装置は、一の丸形ダイス２０ａ，２０ｂ，２０ｃによって転造されたねじ山と、他の丸形ダイス２０ａ，２０ｂ，２０ｃによって転造されたねじ山との間のずれを測定する測定部７６と、測定部７６による測定結果に基づいて、一の丸形ダイス２０ａ，２０ｂ，２０ｃに対する他の丸形ダイス２０ａ，２０ｂ，２０ｃの回転角度のずれを算出する算出部７７を有し、パソコンなどからなるデータ処理装置７５も備えている。
【００１９】
なお、測定部７６は、表示部７２に表示された水平方向に延在する２本の電子ラインＬの間の距離と、垂直方向に延在する２本の電子ラインＬ（図８参照）の間の距離とを測定することができるように構成されている。また、各電子ラインＬを同時または個別に移動させることができるように構成されている。なお、図７および図８には、垂直方向に延在する２本の電子ラインＬしか示していないが、被測定体の撮影方向によっては、このような垂直方向に延在する２本の電子ラインＬ以外に、水平方向に延在する２本の電子ラインも用いることができる。このため、本実施の形態によれば、被測定体の撮影方向に関わらず、測定したい距離を自在に測定することができる。
【００２０】
また、ねじ山の条痕Ｇのずれを２本の電子ラインＬの間の距離を用いて測定する前に、基準ゲージやブロックゲージＢを用いて予め寸法決定が行われており、測定部７６には、当該寸法決定されたデータが記憶されている（図７参照）。
【００２１】
より具体的には、２５ｍｍを２５０等分した刻線が刻まれている基準ゲージや所定の大きさからなるブロックゲージＢが、撮影部７１によって撮影される（図７参照）。次に、撮影部７１によって撮影された映像が、表示部７２によって拡大されて表示される（図７参照）。次に、２本の電子ラインＬの間の距離を、刻線の幅やブロックゲージＢの大きさに合わせることで、測定部７６に２本の電子ラインＬの間の距離と実際の距離との関係を記憶させることができ、寸法決定することができる（図７参照）。このように、本実施の形態では、基準ゲージやブロックゲージＢを用いて予め寸法決定が行われているので、ねじ山の条痕Ｇのずれをより精度高く正確に測定することができる。
【００２２】
ところで、図３においては、装着軸４ａを駆動する一つの回転駆動部５０のみを示しているが、装着軸４ｂ，４ｃの各々にも、これらを独立して駆動する回転駆動部５０が回転駆動軸５１を介して設けられている。
【００２３】
また、図３に示すように、ねじ転造装置は、算出部７７によって算出された回転角度のずれに基づいて、装着軸４ａ，４ｂ，４ｃの各々を所定の位置に位置づける制御部６０をさらに備えている。
【００２４】
また、丸形ダイス２０ａ，２０ｂ，２０ｃは、装着軸４ａ，４ｂ，４ｃに対して、キーまたはスプラインにより嵌合されて固定されている。すなわち、装着軸４ａ，４ｂ，４ｃにキーが設けられている場合には、丸形ダイス２０ａ，２０ｂ，２０ｃにキー溝が設けられており、装着軸４ａ，４ｂ，４ｃにスプライン軸が設けられている場合には、丸形ダイス２０ａ，２０ｂ，２０ｃにスプライン溝が設けられている。
【００２５】
図１乃至図３に示すように、装着軸４ａ，４ｂ，４ｃは、第一リンク３１に回転可能に勘合されて保持されている。そして、この第一リンク３１は、第一リンク３１を貫通した第一軸５を中心として回転自在となっている（図３参照）。また、装着軸４ａ，４ｂ，４ｃは、第二リンク３２に回転可能に勘合されて保持されている。そして、この第二リンク３２は、第二リンク３２を貫通した第二軸６を中心として回転自在となっている。なお、第一軸５はフレーム１２に回転可能に固定され、第二軸６は回転駆動リンク１１に連結されている。
【００２６】
図３に示すように、回転駆動部５０は、サーボタイプ型電動機１０と、このサーボタイプ型電動機１０によって回転される歯車５３とを有している。なお、この歯車５３は回転駆動軸５１を介して装着軸４ａ，４ｂ，４ｃに連結され、歯車５３が回転されることによって装着軸４ａ，４ｂ，４ｃが回転されることとなる。
【００２７】
また、図１および図２に示すように、回転駆動リンク１１には直動駆動バー４０が連結され、直動駆動バー４０が直線運動することによって、三個の丸形ダイス２０ａ，２０ｂ，２０ｃが救心移動および離隔移動するようになっている。なお、この直動駆動バー４０には、図３に示すように、スクリュー機構４６を介してサーボタイプ型電動機４５が設けられている。このスクリュー機構４６は、サーボタイプ型電動機４５の回転運動を直動に変換する。
【００２８】
ここで、スクリュー機構４６を介して設けられたサーボタイプ型電動機４５と、直動駆動バー４０と、直動駆動バー４０に連結された回転駆動リンク１１と、第二軸６と、第二リンク３２とによって、転造ダイス２０ａ，２０ｂ，２０ｃを保持部１６に保持された転造ブランク１に向かって移動させる移動機構が構成されている。
【００２９】
次に、このような構成からなる本実施の形態の作用について述べる。
【００３０】
一の丸形ダイス２０ａ，２０ｂ，２０ｃを、隣接する他の丸形ダイス２０ａ，２０ｂ，２０ｃに対して、１／３回転（１／ｎ：ｎは用いられる丸形ダイス２０ａ，２０ｂ，２０ｃ（装着軸４ａ，４ｂ，４ｃ）の個数）だけ回転させることによって（進めるか、後退させるかによって）ピッチ合わせを行うことができる。より具体的には、装着軸４ａのねじ山の切り込み開始位置から、転造ブランク１の長手方向においてピッチ×１／３回転だけ移動した点が、隣接する装着軸４ｂのねじ山の切り込み開始位置となり、装着軸４ａのねじ山の切り込み開始位置から、転造ブランク１の長手方向においてピッチ×２／３回転だけ移動した点が、隣接する装着軸４ｃのねじ山の切り込み開始位置となればよい。
【００３１】
ここで、一の丸形ダイス（例えば、丸形ダイス２０ａ）が隣接する他の丸形ダイス（例えば、丸形ダイス２０ｂ）に対して、正確に１／３回転だけずれていないと、一の丸形ダイス（丸形ダイス２０ａ）によって転造ブランク１に設けられた条痕Ｇと、他の丸形ダイス（丸形ダイス２０ｂ）によって設けられた条痕Ｇとが一致せず、ピッチがずれてしまう。他方、一の丸形ダイス（丸形ダイス２０ａ）が隣接する他の丸形ダイス（丸形ダイス２０ｂ）に対して、正確に１／３回転だけずれていると、一の丸形ダイス（丸形ダイス２０ａ）によって転造ブランク１に設けられた条痕Ｇと、他の丸形ダイス（丸形ダイス２０ｂ）によって設けられた条痕Ｇとが一致する。図５には、一の丸形ダイス（例えば、丸形ダイス２０ａ）によってつけられた条痕Ｇａと、他の丸形ダイス（丸形ダイス２０ｂ，２０ｃ）によってつけられた条痕Ｇｂとが一致しているときの態様を示している。
【００３２】
以下、丸形ダイス２０ａ，２０ｂ，２０ｃのピッチを合わせる工程について説明する。
【００３３】
まず、三個の丸形ダイス２０ａ，２０ｂ，２０ｃが装着軸４ａ，４ｂ，４ｃに装着される（ダイス装着工程）（図１参照）。次に、保持部１６によって転造加工するブランクが保持される（ブランク装着工程）（図１参照）。
【００３４】
次に、サーボタイプ型電動機４５による回転運動がスクリュー機構４６を介して直動に変換されて、直動駆動バー４０が回転駆動リンク１１に向かって押し込まれる（図１の左側に押し込まれる）（図１および図３参照）。このように直動駆動バー４０の直動をサーボタイプ型電動機４５による回転運動によって制御することができるので、直動駆動バー４０を精密に制御することができ、ミクロンオーダーの位置決めを行うことができる。このため、丸形ダイス２０ａ，２０ｂ，２０ｃ間の軸間距離を正確に調整することができる。
【００３５】
このように直動駆動バー４０が回転駆動リンク１１に向かって押し込まれることによって、三個の丸形ダイス２０ａ，２０ｂ，２０ｃが、中心方向へ、同時にかつ同速度で同じ距離移動される（図２および図４参照）。具体的には、まず、回転駆動リンク１１がフレーム１２に対して時計回りの方向に回転される。そして、第二リンク３２が第二軸６を中心として時計回りに回転され、丸形ダイス２０ａ，２０ｂ，２０ｃが保持部１６に保持された転造ブランク１に向かって救心移動され、当接されて押しつけられる（ダイス当接工程）（図２および図４参照）。
【００３６】
次に、各装着軸４ａ，４ｂ，４ｃが、回転駆動部５０によって正方向にゆっくりと低速で１／３回転だけ回転される（転造工程）（図２参照）。このときの丸形ダイス２０ａ，２０ｂ，２０ｃに加わる転造圧力は、装着軸４ａ，４ｂ，４ｃから第一軸５を経てフレーム１２に伝わる。その後、各装着軸４ａ，４ｂ，４ｃが、回転駆動部５０によって正方向と逆方向に回転されてから、転造ブランク１が取り出される（ブランク取出工程）（図１および図３参照）。そして、直動駆動バー４０が回転駆動リンク１１から離れる方向に移動され（図１の右側に移動され）、各丸形ダイス２０ａ，２０ｂ，２０ｃが離隔される（離隔工程）。このとき、転造ブランク１の表面に丸形ダイス２０ａ，２０ｂ，２０ｃのねじ山の条痕が０．１ｍｍ〜０．２ｍｍ程度でつけられる。このように本実施の形態では、比較的浅くねじ山の条痕Ｇが付けられているので、後述のように表示部７２に表示される画像において、ねじ山の条痕Ｇを明瞭に判別することができる。
【００３７】
次に、撮影部７１によって、転造ブランク１に転造されたねじ山の条痕Ｇが撮影される（撮影工程）（図６参照）。このとき、ファイバ照明部７３によって、転造ブランク１に転造されたねじ山の条痕Ｇに光が照射されるので、被測定体であるねじ山の条痕Ｇに影が生じることを防止することができ、ひいては、表示部７２で表示される画像を明瞭なものにすることができる。
【００３８】
このように撮影部７１によってねじ山の条痕Ｇが撮影されているときに、表示部７２によって、撮影部７１で撮影されたねじ山が５０倍から１００倍の間で（本実施の形態では９０倍程度に）拡大されて表示されている（表示工程）（図８参照）。続いて、ピント調整部（図示せず）によって、表示部７２での表示のピントが調整される（ピント調整工程）。なお、表示部７２によって拡大される大きさを９０倍にした場合には、０．１ｍｍの幅が９ｍｍとして表示部７２に表示されることとなる。
【００３９】
このような表示工程やピント調整工程において、ねじ山の条痕Ｇが影となり暗くなっている場合には、ファイバ照明部７３によって光が照射される位置や光の照射量を適宜調整すればよい。
【００４０】
ピントが調整された後の画像において、転造ブランク１につけられた条痕Ｇのずれが無くなり条痕Ｇが連なっていれば（ピッチがずれていない場合には）、作業は終了する。他方、転造ブランク１につけられた条痕Ｇがずれて連ならない場合（ピッチがずれている場合）には、以下の工程が行われる。
【００４１】
具体的には、まず、表示部７２に表示された２本の電子ラインＬ（図８では垂直方向に延在する２本の電子ラインＬ）が、ねじ山の条痕Ｇのずれに合わせられる。そして、測定部７６によって、２本の電子ラインＬの間の距離（図８では垂直方向に延在する２本の電子ラインＬの間の距離）Ｄが測定される（測定工程）。
【００４２】
次に、算出部７７によって、測定部７６による測定結果（２本の電子ラインＬの間の距離Ｄ）に基づいて、一の丸形ダイス２０ａ，２０ｂ，２０ｃ（例えば、丸形ダイス２０ａ：主伝導軸に対応する丸形ダイス）に対する他の丸形ダイス２０ａ，２０ｂ，２０ｃ（例えば、丸形ダイス２０ｂと丸形ダイス２０ｃ：従伝導軸に対応する丸形ダイス）の回転角度のずれが算出される（算出工程）。
【００４３】
次に、算出部７７の算出結果に基づいて、制御部６０から各回転駆動部５０に信号が送信され、この信号に応じて各装着軸４ａ，４ｂ，４ｃ（例えば、装着軸４ｂ，４ｃ）が回転駆動部５０によって回転されて、装着軸４ａ，４ｂ，４ｃ（例えば、装着軸４ｂ，４ｃ）の回転開始位置が調整される（回転開始位置調整工程）（図３参照）。
【００４４】
後は上述した、ブランク装着工程からピント調整工程までが繰り返し行われる。
【００４５】
ところで、上述した回転駆動部５０の回転運動や、直動駆動バー４０を直動させるサーボタイプ型電動機４５による回転運動は、操作者が電気操作盤（図示せず）を用いてコントロールすることができる。なお、回転駆動部５０の回転運動の制御は、サーボタイプ型電動機１０に組み込まれたエンコーダ（図示せず）や装着軸４ａ，４ｂ，４ｃに組み込まれたセンサー（図示せず）からの信号を受けて行われ、サーボタイプ型電動機４５による回転運動の制御は、直動駆動バー４０やスクリュー機構４６に取り付けられたセンサー（図示せず）からの信号を受けて行われる。
【００４６】
以上のように、本実施の形態によれば、表示部７２でねじ山が拡大されて表示され、測定部７６で拡大された画像を用いて２本の電子ラインＬの間の距離Ｄを測定され、算出部７７で回転角度のずれが算出される。そして、制御部によって回転駆動部５０が操作されて、自動的に各装着軸４ａ，４ｂ，４ｃが回転されて、装着軸４ａ，４ｂ，４ｃの回転開始位置が調整される。このため、熟練していない者であっても、短時間（例えば１回の調整）で確実に装着軸４ａ，４ｂ，４ｃの各々の位置合わせをすることができ、ひいては、短時間で確実に丸形ダイス２０ａ，２０ｂ，２０ｃのピッチを合わせることができる。
【００４７】
すなわち、従来では、目視で転造ブランク１に付けたねじ山の条痕Ｇのずれを測定していたため、熟練している者でも何度もピッチ合わせをする必要があり、時間のかかる作業となっている。また、ねじ山の条痕Ｇのずれを測定には高い技量が必要となっているので、熟練していない者では何度もやり直す必要があり、非常に時間のかかる作業となってしまっている。これに対して、本発明によれば、拡大された画像を用いて２本の電子ラインＬを用いるだけで自動的に各装着軸４ａ，４ｂ，４ｃが回転されて、装着軸４ａ，４ｂ，４ｃの回転開始位置が調整されるので、熟練していない者でも短時間で確実に丸形ダイス２０ａ，２０ｂ，２０ｃのピッチを合わせることができる。
【００４８】
なお、顕微鏡などを用いて拡大したうえでねじ山の条痕Ｇのずれを測定することでピッチ合わせをすることも考えられるが、本実施の形態のように２本の電子ラインＬを合わせるだけの作業とは異なり、ねじ山の条痕Ｇのずれをやはり目で確認することとなる。このため、このように顕微鏡などを用いたとしても正確なずれ量を把握することは難しく、装着軸４ａ，４ｂ，４ｃの回転開始位置がどうしてもずれてしまうため、本実施の形態の態様の方が格段に優れている。
【００４９】
ところで、本実施の形態では、制御部によって回転駆動部５０が操作されて、自動的に装着軸４ａ，４ｂ，４ｃの回転開始位置が調整される態様を用いて説明しているが、これに限られることはなく、例えば、算出部７７で算出された回転角度のずれに基づいて、手動で装着軸４ａ，４ｂ，４ｃの回転開始位置を調整してもよい。
【００５０】
第２の実施の形態
次に、図９および図１０により、本発明の第２の実施の形態について説明する。図９および図１０に示す第２の実施の形態は、三個の装着軸４ａ，４ｂ，４ｃと、この装着軸４ａ，４ｂ，４ｃに固定される三個の丸形ダイス２０ａ，２０ｂ，２０ｃとを備える代わりに、二個の装着軸４ａ，４ｂと、この装着軸４ａ，４ｂに固定される二個の丸形ダイス２０ａ，２０ｂとを備えたものであり、その他の構成は図１乃至図８に示す第１の実施の形態と略同一である。
【００５１】
図９および図１０に示す第２の実施の形態において、図１乃至図８に示す第１の実施の形態と同一部分には同一符号を付して詳細な説明は省略する。
【００５２】
本実施の形態の形態によっても、第１の実施の形態と同様の効果を奏することができる。構成としては第１の実施の形態と略同一であるので、以下、簡単に説明する。
【００５３】
まず、二個の丸形ダイス２０ａ，２０ｂが装着軸４ａ，４ｂに装着される（ダイス装着工程）。次に、保持部１６によって転造加工するブランクが保持される（ブランク装着工程）。
【００５４】
次に、サーボタイプ型電動機４５による回転運動がスクリュー機構４６を介して直動に変換されて、一方の丸形ダイス２０ｂが他方の丸形ダイス２０ａに向かって移動され、保持部１６に保持された転造ブランク１に当接されて押しつけられる（ダイス当接工程）（図９および図１０参照）。
【００５５】
次に、各装着軸４ａ，４ｂが、回転駆動部５０によって正方向にゆっくりと低速で１／２だけ回転される（転造工程）（図１０参照）。その後、各装着軸４ａ，４ｂが、回転駆動部５０によって正方向と逆方向に回転されてから、転造ブランク１が取り出される（ブランク取出工程）。そして、一方の丸形ダイス２０ａ，２０ｂが他方の丸形ダイス２０ａ，２０ｂから離れる方向に移動されて、離隔される（離隔工程）（図９参照）。
【００５６】
次に、撮影部７１によって、転造ブランク１に転造されたねじ山の条痕Ｇが撮影される（撮影工程）（図６参照）。このとき、ファイバ照明部７３によって、転造ブランク１に転造されたねじ山の条痕Ｇに光が照射されるので、被測定体であるねじ山の条痕Ｇに影が生じることを防止することができ、ひいては、表示部７２で表示される画像を明瞭なものにすることができる。
【００５７】
このように撮影部７１によってねじ山の条痕Ｇが撮影されているときに、表示部７２によって、撮影部７１で撮影されたねじ山が拡大されて表示されている（表示工程）（図８参照）。続いて、ピント調整部（図示せず）によって、表示部７２での表示のピントが調整される（ピント調整工程）。
【００５８】
ここで、転造ブランク１につけられた条痕Ｇのずれが無くなり条痕Ｇが連なっていれば（ピッチがずれていない場合には）、作業は終了する。他方、転造ブランク１につけられた条痕Ｇがずれて連ならない場合（ピッチがずれている場合）には、以下の工程が行われる。
【００５９】
具体的には、まず、表示部７２に表示された２本の電子ラインＬ（図８では垂直方向に延在する２本の電子ラインＬ）が、ねじ山の条痕Ｇのずれに合わせられる。そして、測定部７６によって、２本の電子ラインＬの間の距離（図８では垂直方向に延在する２本の電子ラインＬの間の距離）Ｄが測定される（測定工程）。
【００６０】
次に、算出部７７によって、測定部７６による測定結果（２本の電子ラインＬの間の距離Ｄ）に基づいて、一の丸形ダイス２０ａ，２０ｂ（例えば、丸形ダイス２０ａ：主伝導軸に対応する丸形ダイス）に対する他の丸形ダイス２０ａ，２０ｂ（例えば、丸形ダイス２０ｂ：従伝導軸に対応する丸形ダイス）の回転角度のずれが算出される（算出工程）。
【００６１】
次に、算出部７７の算出結果に基づいて、制御部６０から各回転駆動部５０に信号が送信され、この信号に応じて各装着軸４ａ，４ｂ（例えば、装着軸４ｂ）が回転駆動部５０によって回転されて、装着軸４ａ，４ｂ（例えば、装着軸４ｂ）の回転開始位置が調整される（回転開始位置調整工程）（図３参照）。
【００６２】
後は上述した、ブランク装着工程からピント調整工程までが繰り返し行われる。
【００６３】
以上のように、本実施の形態でも、表示部７２でねじ山が拡大されて表示され、測定部７６で拡大された画像を用いて２本の電子ラインＬの間の距離Ｄを測定され、算出部７７で回転角度のずれが算出される。そして、制御部によって回転駆動部５０が操作されて、自動的に各装着軸４ａ，４ｂが回転されて、装着軸４ａ，４ｂの回転開始位置が調整される。このため、熟練していない者であっても、短時間で確実に装着軸４ａ，４ｂの各々の位置合わせをすることができ、ひいては、短時間で確実に丸形ダイス２０ａ，２０ｂのピッチを合わせることができる。
【符号の説明】
【００６４】
１        転造ブランク
４ａ，４ｂ，４ｃ  装着軸
１０      サーボタイプ型電動機
１６      保持部
２０ａ，２０ｂ，２０ｃ  丸形ダイス（転造ダイス）
４０      直動駆動バー
４５      サーボタイプ型電動機
４６      スクリュー機構
５０      回転駆動部
５１      回転駆動軸
６０      制御部
７１      撮影部
７２      表示部
７６      測定部
７７      算出部
Ｂ        ブロックゲージ
Ｄ        電子ラインの間の距離
Ｌ        電子ライン
Ｇ        条痕
【図１】
2010279966.tif 000003
【図２】
2010279966.tif 000004
【図３】
2010279966.tif 000005
【図４】
2010279966.tif 000006
【図５】
2010279966.tif 000007
【図６】
2010279966.tif 000008
【図７】
2010279966.tif 000009
【図８】
2010279966.tif 000010
【図９】
2010279966.tif 000011
【図１０】
2010279966.tif 000012